(57)【要約】【課題】樹脂の合成装置から輸送容器までの配管内に滞留する前記樹脂を、押出具を用いて回収する方法において、前記押出具の回収にかかる人手及び時間を削減できる樹脂の回収方法及び樹脂回収システムを提供する。【解決手段】樹脂の合成装置から輸送容器までの配管内に滞留する樹脂の回収方法であり、前記配管の内径と同等の幅を有する押出具を前記配管内を走行させる樹脂の回収方法。【選択図】図５
2015202478.tif 000002
【特許請求の範囲】
【請求項１】
樹脂の合成装置から輸送容器までの配管内に滞留する樹脂の回収方法であり、前記配管の内径と同等の幅を有する押出具を前記配管内に走行させる樹脂の回収方法。
【請求項２】
前記押出具が変形能を有する請求項１に記載の回収方法。
【請求項３】
前記押出具が弾性体を有する請求項１又は２に記載の回収方法。
【請求項４】
前記押出具が複数の弾性体を回動部を有する接続体で接続した構造体である請求項１〜３の何れか一項に記載の回収方法。
【請求項５】
前記押出具をガスで押出す請求項１〜４の何れか一項に記載の回収方法。
【請求項６】
樹脂の合成装置から輸送容器までの配管内に滞留する樹脂を自動で回収するシステムであり、前記システムは制御部を有し、前記制御部によって、前記合成装置から前記輸送容器までの前記樹脂の充填終了後、前記配管の内径と同等の幅を有する押出具の導入部の第一の弁が開き、同時に前記導入部の後方にあるガス供給弁が開き、ガスが前記押出具を押出し、且つ第一の弁が開くと同時に輸送容器手前の第二の弁が開き、前記樹脂を回収する樹脂回収システム。
【請求項７】
前記第二の弁の手前に前記押出具を回収するための分岐点を設け、前記分岐点の先方の前記第二の弁を有しない側に第三の弁を設け、前記分岐点の手前に第一の検知部を設け、前記検知部において前記押出具の通過を検知すると、前記第二の弁が閉じると同時に前記第三の弁が開いて前記押出具を回収する請求項６に記載の樹脂回収システム。
【請求項８】
前記第三の弁の先方に前記押出具を回収する押出具回収部を設け、前記押出具回収部に第二の検知部を設け、前記第二の検知部において、前記押出具の回収を検知すると、前記第一の弁、前記ガス供給弁及び前記第三の弁が閉じる請求項７に記載の樹脂回収システム。
【発明の詳細な説明】
【技術分野】
【０００１】
本発明は、樹脂の回収方法に関する。更に詳しくは樹脂の合成装置から輸送容器までの配管内に滞留する前記樹脂の回収方法及び樹脂回収システムに関する。
【背景技術】
【０００２】
従来、樹脂の合成装置から輸送容器までの配管内に残留する前記樹脂の回収方法として、前記配管の内径と等しいあるいはやや大きい幅で、押出具を前記合成装置側から前記配管内に挿入し、気体あるいは液体の圧力によって前記押出具を前記輸送容器側へ押出すことにより前記配管内に残留する前記樹脂を回収していた（例えば、特許文献１参照）。
【０００３】
また、従来、樹脂の合成装置から輸送容器までの配管内に残留する前記樹脂の回収システムとして、前記配管の内径と等しいあるいはやや大きい外径の押出具を前記合成装置側から前記配管内に挿入し、気体あるいは液体の圧力によって前記押出具を前記輸送容器側へ押出すことにより前記配管内に残留する前記樹脂を回収する際、前記配管の前記押出具による前記樹脂の回収終点付近に開時には前記樹脂及び前記押出具が共に通過でき、閉時には前記樹脂は通過できるが、前記押出具は通過できない開閉手段を設けることで回収終期における前記樹脂の飛散を防止していた（例えば、特許文献２参照）。
【先行技術文献】
【特許文献】
【０００４】
【特許文献１】特開平４−１０４８７４号公報
【特許文献２】特開平８−１１２１号公報
【発明の概要】
【発明が解決しようとする課題】
【０００５】
しかし、上述した樹脂の合成装置から輸送容器までの配管内に滞留する前記樹脂の回収システムの場合、従来では開閉手段として通常のボール弁のボール部に孔を開けた前記ボール弁を使用し、また前記開閉手段において、閉時に配管内圧力が高くなるため、前記配管内圧力を開放する配管及びボール弁が必要になり、更に、前記ボール弁は手動操作であるため、前記押出具の回収に人手及び時間がかかる。
【０００６】
本発明は、上述のような問題点を解決しようとするものであり、樹脂の合成装置から輸送容器までの配管内に滞留する前記樹脂を、押出具を用いて回収する方法において、前記押出具の回収を遠隔操作により自動化することで、前記押出具の回収にかかる人手及び時間を削減できる樹脂の回収方法及び樹脂回収システムを提供するものである。
【課題を解決するための手段】
【０００７】
本発明は、樹脂の合成装置から輸送容器までの配管内に滞留する樹脂の回収方法であり、前記配管の内径と同等の幅を有する押出具を前記配管内に走行させる前記樹脂の回収方法に関する。
【０００８】
また、本発明は、前記押出具が変形能を有する上記の樹脂の回収方法に関する。
【０００９】
また、本発明は、前記押出具が弾性体を有する上記の樹脂の回収方法に関する。
【００１０】
また、本発明は、前記押出具が複数の弾性体を回動部を有する接続体で接続した構造体である上記の樹脂の回収方法に関する。
【００１１】
また、本発明は、前記押出具をガスで押出す上記の樹脂の回収方法に関する。
【００１２】
更に、本発明は、樹脂の合成装置から輸送容器までの配管内に滞留する樹脂を自動で回収するシステムであり、前記システムは制御部を有し、前記制御部によって、前記合成装置から前記輸送容器までの前記樹脂の充填終了後、前記配管の内径と同等の幅を有する押出具の導入部の第一の弁が開き、同時に前記導入部の後方にあるガス供給弁が開き、ガスが前記押出具を押出し、且つ第一の弁が開くと同時に輸送容器手前の第二の弁が開き、前記樹脂を回収する樹脂回収システムに関する。
【００１３】
また、本発明は、前記第二の弁の手前に前記押出具を回収するための分岐点を設け、前記分岐点の先方の前記第二の弁を有しない側に第三の弁を設け、前記分岐点の手前に第一の検知部を設け、前記検知部において前記押出具の通過を検知すると、前記第二の弁が閉じると同時に前記第三の弁が開いて前記押出具を回収する上記の樹脂回収システムに関する。
【００１４】
また、本発明は、前記第三の弁の先方に前記押出具を回収する押出具回収部を設け、前記押出具回収部に第二の検知部を設け、前記第二の検知部において、前記押出具の回収を検知すると、前記第一の弁、前記ガス供給弁及び前記第三の弁が閉じる上記の樹脂回収システムに関する。
【発明の効果】
【００１５】
本発明によれば、樹脂の合成装置から輸送容器までの配管内に滞留する前記樹脂を、押出具を用いて回収する方法において、前記押出具の回収にかかる人手及び時間を削減できる樹脂の回収方法及び樹脂回収システムを提供することができる。
【図面の簡単な説明】
【００１６】
【図１】本発明の樹脂の回収方法に用いる押出具の構成の一例を示す模式図である。
【図２】本発明の樹脂の回収方法に用いる押出具の構成の他の一例を示す模式図である。
【図３】本発明の樹脂の回収方法に用いる押出具の構成の更に他の一例を示す模式図である。
【図４】本発明の樹脂の回収方法に用いる押出具が有する弾性体の一例を示す模式図である。
【図５】本発明の樹脂回収システムの一実施形態を示す模式図である。
【図６】本発明の樹脂回収システムの他の実施形態における輸送容器手前の詳細を示す模式図である。
【図７】本発明の樹脂回収システムの更に他の実施形態における輸送容器手前の詳細を示す模式図である。
【発明を実施するための形態】
【００１７】
本発明の樹脂の回収方法は以下の項目で構成されている。
【００１８】
押出具について説明する。本実施形態において押出具とは、樹脂の合成装置から輸送容器までの配管内に滞留する樹脂を回収するために配管内を走行させる物体である。
【００１９】
押出具の構成としては、球形（図１参照）や砲弾状（図２参照）の弾性体や複数の弾性体１を回動部２で接続したもの（図３参照）等が挙げられる。中でも、複数の弾性体を回動部で接続したものが好ましい。
【００２０】
押出具の大きさは、弾性体の内径が押出具を走行させる配管の内径と等しくなることが好ましい。
【００２１】
本実施形態の押出具は、複数の弾性体を回動部で接続したものとし、弾性体の外径を押出具を走行させる配管の内径と等しくすることにより、配管内に残留する樹脂の回収率を向上することができ、また、配管の曲がり部分等を押出具が容易に走行することができ、押出具の走行時間短縮及び配管内での押出具の詰りを防止することができる。
【００２２】
次に弾性体について説明する。本実施形態において弾性体とは、柔らかく、力を加えると変形し、力を加えるのを止めると元の形状に戻る物体である。
【００２３】
弾性体の種類として、柔らかく、且つ変形しにくいものが好ましい。例えば、ポリエステル、ポリアミド、フッ素樹脂等の硬質の樹脂やポリウレタン、合成ゴム等の軟性の樹脂やシリコン栓が挙げられる。中でもシリコン栓が、耐熱性、耐寒性、耐候性、耐水性、耐薬品性、耐溶剤性の点で優れている。
【００２４】
弾性体の形状は上面３と下面４の直径の異なる円柱にすることが好ましい（図４参照）。
【００２５】
弾性体の大きさは下面４の直径が配管径と等しくなる大きさが好ましい。
【００２６】
弾性体をシリコン栓とし、形状を上面３と下面４の直径の異なる円柱とし、大きさを下面の直径が配管径と等しくなる大きさとすることで、弾性体は侵されにくく、配管内に滞留する樹脂の回収率を向上することができる。
【００２７】
次に回動部について説明する。本実施形態において回動部とは、軸を中心として一定の範囲において回り、２つの部材の接合する角度が自由に変化する物体である。
【００２８】
回動部としては、金属製のワイヤーやチェーン、又はユニバーサルジョイント等が挙げられる。中でもユニバーサルジョイントを用いることが、柔軟性の点で好ましい。
【００２９】
回動部の材質としては、鉄やステンレス等が挙げられる。中でもステンレス製の回動部を用いることが耐腐食性の点で好ましい。
【００３０】
回動部としてステンレス製のユニバーサルジョイントを用いることで、回動部は腐食されにくく長持ちし、また柔軟性に優れ、配管の曲がり部分における 押出具の走行が容易になり、押出具の走行時間短縮及び配管内での押出具の詰りを防止することができる。
【００３１】
配管について説明する。本発明において配管とは樹脂の合成装置から輸送容器までの 樹脂を移送するパイプ状の物体である。
【００３２】
配管の材質としては、鉄製やステンレス製等が挙げられる。例えば、ステンレス製配管を研磨したサニタリー配管やステンレス製配管の内面のみを研磨し、段差を極力無くした配管も挙げられる。ステンレス製配管を用いることにより配管の腐食を防止でき、中でも、ステンレス製配管の内面のみを研磨し、段差を極力無くした配管を用いることが、ステンレス製配管内の段差による液溜りを防止でき、またコスト面においても安価である点で、好ましい。
【００３３】
配管として内径７０．３ｍｍのステンレス製配管を用い、また押出具を用いて樹脂の合成装置から輸送容器までの配管内に滞留する樹脂を押し出すことで、樹脂の合成装置から輸送容器までの配管内に滞留する樹脂の約９９％を回収することが可能である。例えば、生産量が３ｔ、配管長８０ｍのとき、約３００ｋｇの配管内に滞留する樹脂を回収することが可能である。また、ステンレス製配管の内面のみを研磨し、極力段差を無くしたものを用いることによって、更に樹脂の合成装置から輸送容器までの配管内に滞留する樹脂を押出具を用いて回収後、樹脂の合成装置から輸送容器までの配管内における液溜りを防止することができ、品種切替を行う場合にコンタミを防止することが可能である。
【００３４】
以下、本発明の樹脂回収システムの実施形態を図面により説明する。本発明において、樹脂回収システムとは、樹脂の合成装置から輸送容器までの配管内に滞留する樹脂を、押出具を自動で樹脂の合成装置から輸送容器までの配管内を走行させることで回収するシステムである。図５は本実施形態の樹脂回収システムの概略図を示している。
【００３５】
まず、押出具導入部５に押出具を導入しておき、タンク（合成装置）６から輸送容器７へ樹脂を充填する。
【００３６】
樹脂充填終了後、制御部８からの遠隔操作により押出具導入部５前方の第一の弁９を開き、同時に押出具導入部５後方のガス供給弁１０が開き、配管内に圧縮ガスが供給され、圧縮ガスが押出具を押出すと同時に第二の弁１１が開き、樹脂の合成装置６から輸送容器７までの配管１２内に滞留する樹脂を輸送容器７に回収する。図５において、樹脂の合成装置６から輸送容器７までの配管１２は、ステンレス製配管１２ａ及びＰＴＦＥ製チューブ１２ｂで構成されている。
【００３７】
樹脂回収システムを上述に示すように遠隔操作により自動化することによって、オペレーターの弁の開閉作業時間を削減することができる。
【００３８】
図５の丸枠部分を図６に示すようにし、第一の検知部１３が押出具の通過を検知すると、第二の弁１１が閉じると同時に第三の弁１４が開き、押出具を回収する。
【００３９】
第二の弁１１が閉じると同時に第三の弁１４が開くことにより、押出具が輸送容器７側に走行せず、回収することが可能であり好ましい。
【００４０】
図５の丸枠部分を図７に示すようにし、押出具回収部１５内の第二の検知部１６が押出具を検知すると第三の弁１４が閉じ、同時に第一の弁９及びガス供給弁１０が閉じる。
【００４１】
押出具回収部１５付近の第一の検知部１３で押出具を検知し、自動で第二の弁１１を閉じ、第三の弁１４を開くことで押出具回収部１５に流れ込む樹脂量を極力低減することにより、歩留低下を防止し、更に圧縮ガスによる樹脂の飛散を防止することで作業環境の汚染の防止及びオペレーターへの危険性を防止することが可能であり好ましい。
【符号の説明】
【００４２】
１…弾性体、２…回動部、３…上面、４…下面、５…押出具導入部、６…合成装置（タンク）、７…輸送容器、８…制御部、９…第一の弁、１０…ガス供給弁、１１…第二の弁、１２…配管、１２ａ…ステンレス製配管、１２ｂ…ＰＴＦＥ製チューブ、１３…第一の検知部、１４…第三の弁、１５…押出具回収部、１６…第二の検知部。
【図１】
2015202478.tif 000003
【図２】
2015202478.tif 000004
【図３】
2015202478.tif 000005
【図４】
2015202478.tif 000006
【図５】
2015202478.tif 000007
【図６】
2015202478.tif 000008
【図７】
2015202478.tif 000009